(57)【要約】【課題】    コンピューターの入力装置のコードに煩わされることなく入力作業が快適にできるようにする事。【解決手段】入力装置操作盤（１）を設け、マウスのコードを入力装置操作盤（１）に固定するためのマウスコード固定具（２）を設け、マウスコード固定具（２）に固定するコードからマウス本体までのコードがマウスの操作時において常に弧を保たれる位置と向きで入力装置操作盤（１）に固定する。【選択図】図１
2007213534.tif 000002
【特許請求の範囲】
【請求項１】
入力装置操作盤（１）を設け、マウスのコードを入力装置操作盤（１）に固定するためのマウスコード固定具（２）を設け、マウスコード固定具（２）に固定するコードからマウス本体までのコードがマウスの操作時において常に弧を保たれる位置と向きで入力装置操作盤（１）に固定する。
以上のように構成されたコンピューター入力装置の補助具
【請求項２】
請求項１の入力装置操作盤（１）上に支軸（３）を設け、支軸（３）を支点とするコードガイド（４）を設け、コードガイド（４）にマウスやキーボードのコードを固定する装置（５）を設ける。以上のように構成されたコンピューター入力装置の補助具
【請求項３】
モニター台（６）を設けモニター台（６）に固定できるようにしたモニター台背面板（７）を設け、モニター台背面板（７）の任意の位置に、入力装置のコードを角度をつけて取付ける事のできるくの字コード固定具（８）を設ける。以上のように構成された請求項１のコンピューター入力装置の補助具
【発明の詳細な説明】
【発明の詳細な説明】
【技術分野】
【０００１】この発明は、コンピューターの入力装置のコード付のマウスの操作時にマウスのコードを気にしないで使用できるようにしたものである。また限られた机のスペースを有効に利用するためにコンピューターのモニターの下にキーボードやマウス等のコード付の入力装置をコードを気にしないで入力装置一式を手軽に収納したり取り出したり出来るようにしたコンピューター入力装置の補助具である。
【背景技術】
【０００２】従来コンピューターの操作の際、コード付のマウスコードは短かすぎればつっぱって操作出来ないのでたるませた状態で使用するが、マウス入力作業時にコードが動くため、コードが支障なく動くスペースを確保する必要がある。またコンピューターを設置する場合、机やこたつ等の上にモニターを置き、キーボードやマウスを手元の入力作業のしやすい位置に設置していた。このため今まで他の用途で使っていた机の手元のスペースが使用できなくなった。
【発明が解決しようとする課題】
【０００３】これは次のような欠点があった。
イ．  マウスの入力は動かして行うため、この動きを妨げないだけのコードのたるみが必要になりコードの周囲にスペースを確保する必要があるため机の作業スペースはさらに狭くなる。マウスのコードの周囲に充分スペースを確保したつもりでも実際にマウスを操作するとコードが引っかかったり、動きが重くなったりして操作しにくいことが良くある。
ロ．  キーボードやマウス等の入力装置は、机の上の位置を移動する事を想定せずに設置される。移動したい場合コンピューターとつながった入力装置のコードが邪魔になるし、限られた机の上のスペースでは、場所を大きくとる入力装置をいくらも移動できない。
ハ．  机の上にモニター、キーボード、マウスを設置するとそれらが場所をとり机のスペースは狭くなる。ことにキーボード、マウス等の入力装置は手元の作業しやすい位置に設置するため、他の作業を机の上で行う事が制限される。
【課題を解決するための手段】
【０００４】マウス操作をするための入力装置操作盤（１）を設ける。マウスのコードを入力装置操作盤（１）に固定するためのマウスコード固定具（２）を設ける。マウスコード固定具（２）に固定するコードからマウス本体までのコードがマウスの操作時において常に張りつめすぎず緩みすぎない状態にするため、マウスの入力操作位置とマウスコード固定具（２）の相対的な位置及びマウスコード固定具（２）に取付けたマウスコードの向きにより入力操作時に常にマウスコードが弧を保つようマウスコード固定具（２）を入力装置操作盤（１）に固定する。
また請求項１の入力装置操作盤（１）上にマウスだけでなくキーボードなどのコード付入力装置ものせられるようにし、さらに支軸（３）を設け、支軸（３）を支点とするコードガイド（４）を設け、コードガイド（４）にマウスやキーボードのコードを固定する装置（５）を設ける。これによりいくつかのコード付き入力装置を入力装置操作盤（１）上にのせそれらのコードをコードガイド（４）に取付けることで入力装置をいっぺんに動かすことができそれらのコードを規則的にコントロールできる。
さらにモニター台（６）を設けモニター台（６）に固定できるようにしたモニター台背面板（７）を設け、モニター台背面板（７）の任意の位置に、入力装置のコードを角度をつけて取付けるためにくの字コード固定具（８）を設ける。くの字コード固定具（８）とコードガイド（４）に取付けられたコードをつなぐことにより入力装置操作盤（１）をモニター台（６）の中に収納したり取り出したりすることができる
以上のように構成されたコンピューター入力装置の補助具
【発明を実施するための最良の形態】
【０００５】以下、本発明の実施の形態について説明する
マウス操作をするための入力装置操作盤（１）を設ける。マウスのコードを入力装置操作盤（１）に固定するためのマウスコード固定具（２）を設ける。マウスコード固定具（２）に固定するコードからマウス本体までのコードがマウスの操作時において常に張りつめすぎず緩みすぎない状態にするため、マウスの入力操作位置とマウスコード固定具（２）の相対的な位置及びマウスコード固定具（２）に取付けたマウスコードの向きにより入力操作時に常にマウスコードが弧を保つよう図１のようにマウスコード固定具（２）を入力装置操作盤（１）に固定する。本発明は以上のような構造でこれを使用するときは、マウス本体から出るコードの２０ｃｍ前後の位置で図１のようにコードをマウスコード固定具（２）に取付ける。これによりマウス操作時に動くコードがマウスコード固定具（２）よりマウス本体までの間だけになる点と、マウスを入力操作位置で動かした場合、常にコードが弧を描くようになる点の２点の作用でマウス操作は非常にスムースになり安定するようになった。
また請求項１の入力装置操作盤（１）上にマウスだけでなくキーボードなどのコード付入力装置ものせられるようにし、さらに支軸（３）を設け、支軸（３）を支点とするコードガイド（４）を設け、コードガイド（４）にマウスやキーボードのコードを固定する装置（５）を設ける。これによりいくつかのコード付き入力装置を入力装置操作盤（１）上にのせそれらのコードをコードガイド（４）に取付けることで入力装置をいっぺんに動かすことができそれらのコードを絡まないよう規則的にコントロールできるようになった。
さらにコンピューターのモニターを置くためのモニター台（６）を設けモニター台（６）に固定できるようにしたモニター台背面板（７）を設け、モニター台背面板（７）の任意の位置に、入力装置のコードを角度をつけて取付けるためにくの字コード固定具（８）を設ける。くの字コード固定具（８）とコードガイド（４）に取付けられたコードをつなぐことにより入力装置操作盤（１）をモニター台（６）の中に収納したり取り出したりする際のコードの曲がりは規則的な動きをするため絡まず絡んだり邪魔になったりすることがなく必要に応じて容易に収納や取出しができるようになった。
【発明の効果】
【０００６】コンピューターの操作ではマウスを多用するがコードのついたマウスはマウスの操作時にコードが邪魔になる事がしばしばある。本発明では、使い慣れているマウスのコードをマウスコード固定具（２）に簡単に取付けられるような構造で、取付けることによりマウスを操作する場合に動くマウスコードを必要最短の長さの弧に保つことができるため、コードを気にせずスムーズに操作できるようになった。また入力装置操作盤（１）の上においてあるマウスやキーボード他のコード付き入力装置ごとそれらのコードを気にせず容易に移動させることが出来るため、自分のやりやすい位置での操作が出来るようになった。
さらに請求項３を使用することにより今ある机やコタツ等をコンピューターデスクとして使用することができるようになる。そのため専用コンピューターデスクを購入して設置する必要がなくなった。
コンピューターを平机やコタツで使用するためにモニター、キーボード、マウスなどを設置するとキーボードやマウス等の入力装置は作業のしやすい手元の位置に設置するため、そのままではスペースがなくなるため今まで机やコタツで行っていた作業のほとんどができなくなる。
本発明の使用により、コンピューターのモニターの下にキーボードやマウス等の入力装置をコードを気にせず手軽に収納したり、入力作業位置に引出したりできるようになった。そのため従来からの机としての機能と同時にコンピューターデスクとしての機能をあわせもつようになった。
【図面の簡単な説明】
【図１】    本発明の請求項１の使用状態を示す斜視図
【図２】    本発明の請求項２の使用状態を示す斜視図
【図３】    本発明の請求項３の使用状態を示す分解斜視図
【符号の説明】
１  入力装置操作盤
２  マウスコード固定具
３  支軸
４  コードガイド
５  コードを固定する装置
６  モニター台
７  モニター台背面板
８  くの字コード固定具
【図１】
2007213534.tif 000003
【図２】
2007213534.tif 000004
【図３】
2007213534.tif 000005